(57)【要約】【課題】  反射型の電子表示媒体に表示された画像の視認性について、広い色温度範囲の照明環境における視認性を客観的に評価することのできる電子表示媒体の評価方法の提供。【解決手段】  電子表示媒体の評価方法は、反射型の電子表示媒体上に表示された、最高の反射率を有する画像部分および最低の反射率を有する画像部分が含まれるパターン画像について、照明した状態における最高の反射率を有する画像部分に係る反射率および最低の反射率を有する画像部分に係る反射率を取得し、これらからコントラストを算出する処理を、電子表示媒体上の画像を照明するための光源として１９００Ｋ〜８０００Ｋの範囲のうち互いに異なる色温度のものを用いて３回以上行い、各回に算出されたコントラストによって電子表示媒体に表示された画像の視認性を評価することを特徴とする。【選択図】  図１
2010261850.tif 000002
【特許請求の範囲】
【請求項１】
反射型の電子表示媒体上に表示された、少なくとも当該電子表示媒体によって表示することのできる最高の反射率を有する画像部分および、当該電子表示媒体によって表示することのできる最低の反射率を有する画像部分が含まれるパターン画像について、照明した状態における前記最高の反射率を有する画像部分に係る反射率および前記最低の反射率を有する画像部分に係る反射率を取得し、これらの値からコントラストを算出するコントラスト算出処理を、
前記電子表示媒体上の画像を照明するための光源として、１９００Ｋ〜８０００Ｋの範囲のうち互いに異なる色温度のものを用いて３回以上行い、各回に算出されたコントラストによって前記電子表示媒体に表示された画像の視認性を評価することを特徴とする電子表示媒体の評価方法。
【請求項２】
前記コントラスト算出処理が、（１）１９００Ｋ〜４０００Ｋの範囲の色温度の光源、（２）４０００Ｋ〜５５００Ｋの範囲の色温度の光源、および（３）５５００Ｋ〜８０００Ｋの範囲の色温度の光源を用いて、すくなくともそれぞれ１回行われることを特徴とする請求項１に記載の電子表示媒体の評価方法。
【請求項３】
前記照明による電子表示媒体上の画像における照度が、１０〜２０００ルクスの範囲であることを特徴とする請求項１または請求項２に記載の電子表示媒体の評価方法。
【請求項４】
コントラストを算出するために取得される前記最高の反射率を有する画像部分に係る反射率、および前記最低の反射率を有する画像部分に係る反射率が、それぞれの画像部分について分光吸収分布を測色し、得られた分光吸収分布に基づいて演算されることにより、取得されるものであることを特徴とする請求項１〜請求項３のいずれかに記載の電子表示媒体の評価方法。
【請求項５】
前記分光吸収分布に基づいて演算されることにより取得される反射率が、波長に対して積算して算出された積算反射率であることを特徴とする請求項１〜請求項４のいずれかに記載の電子表示媒体の評価方法。
【請求項６】
反射型の電子表示媒体上に表示された、少なくとも当該電子表示媒体によって表示することのできる最高の濃度を有する画像部分および、当該電子表示媒体によって表示することのできる最低の濃度を有する画像部分が含まれるパターン画像について、照明した状態における前記最高の濃度を有する画像部分に係る濃度および前記最低の濃度を有する画像部分に係る濃度を取得し、これらの値からコントラストを算出するコントラスト算出処理を、
前記電子表示媒体上の画像を照明するための光源として、１９００Ｋ〜８０００Ｋの範囲のうち互いに異なる色温度のものを用いて３回以上行い、各回に算出されたコントラストによって前記電子表示媒体に表示された画像の視認性を評価することを特徴とする電子表示媒体の評価方法。
【請求項７】
前記コントラスト算出処理が、（１）１９００Ｋ〜４０００Ｋの範囲の色温度の光源、（２）４０００Ｋ〜５５００Ｋの範囲の色温度の光源、および（３）５５００Ｋ〜８０００Ｋの範囲の色温度の光源を用いて、すくなくともそれぞれ１回行われることを特徴とする請求項６に記載の電子表示媒体の評価方法。
【請求項８】
前記照明による電子表示媒体上の画像における照度が、１０〜２０００ルクスの範囲であることを特徴とする請求項６または請求項７に記載の電子表示媒体の評価方法。
【請求項９】
コントラストを算出するために取得される前記最高の濃度を有する画像部分に係る濃度、および前記最低の濃度を有する画像部分に係る濃度が、それぞれの画像部分について分光吸収分布を測色し、得られた分光吸収分布に基づいて演算されることにより、取得されるものであることを特徴とする請求項６〜請求項８のいずれかに記載の電子表示媒体の評価方法。
【請求項１０】
前記分光吸収分布に基づいて演算されることにより取得される濃度が、波長に対して積算して算出された積算濃度であることを特徴とする請求項６〜請求項９のいずれかに記載の電子表示媒体の評価方法。
【請求項１１】
前記画像パターンが、チェッカフラッグ、ライン＆スペース、文字キャラクタのいずれかであることを特徴とする請求項１〜請求項１０のいずれかに記載の電子表示媒体の評価方法。
【発明の詳細な説明】
【技術分野】
【０００１】
本発明は、反射型の電子表示媒体に表示された画像の視認性を評価するための電子表示媒体の評価方法に関する。
【背景技術】
【０００２】
近年、地球温暖化に伴い、低消費電力の表示デバイスが求められている。その中で、発光部材を用いないメモリ性のある反射型の電子表示媒体である電子ペーパーは、電子書籍端末や携帯電話の表示パネル、電子棚札などいろいろな場所で使用され始めてきている。
【０００３】
このような反射型の電子表示媒体は、持ち運びに便利であり、保存性が良好であるなどのハードコピーの特長を持ちながら、ソフトコピーの特長、すなわち同一の表示画面において繰り返し書き換えが可能であり、デジタル情報との統合性を有し、さらに画像保持のための電力を要さないために省エネルギー化が図られるという特長を併せ持ち、理想的な媒体とも言える。
また、このような反射型の電子表示媒体は、紙などに印刷されたハードコピーと同様に、ユーザーが好む場所で自由な姿勢で見ることができ、加えて、発光型の電子表示媒体とは異なり長時間見続けたとしても視覚的な疲労が少なく、ユーザーにとって精神的および肉体的に優しい表示媒体である。
【０００４】
ところで、電子表示媒体は、ユーザーが好む場所で自由な姿勢で見ることができる反面、自ら発光するものではないために当該電子表示媒体上の明るさ、具体的にはユーザーの周囲の明るさによって見やすさが異なる。
周囲の明るさによって見やすさが異なる理由は、ヒトの目には、主に明るい環境において機能する錐体細胞と、主に暗い環境において機能する桿体細胞という２種類の視細胞が存在しているところ、それぞれの視細胞の視感度の特性が異なるためである。なお、錐体細胞および桿体細胞は、明るい環境においては５５５ｎｍ付近の波長の光を最も強く感じ、暗い環境においては５０７ｎｍ付近の波長の光を最も強く感じると言われている。また、錐体細胞および桿体細胞の働きには個人差があるため、人によっても、または同一人物であってもその時の体調などによってもその見やすさが異なる。
そして、光の波長によって感じる明るさが異なるということは、純物理量としての光の量、例えば光子の量と人が感じる明るさとの関係は比例関係にはなく、受ける光を構成するスペクトルによってその関係に差が生じることを意味しており、換言すれば、外光の色温度により影響を受けるということになる。
このようなヒトの目の特性から、国際照明委員会と国際度量衡総会によって、世界標準となるヒトの視感度の平均値からなる「標準比視感度」が規定されている。
【０００５】
一方、発光型の液晶ディスプレイやＰＤＰ（プラズマディスプレイパネル）などの発光型の電子表示媒体の見やすさは、従来から、コントラストを指標として表わされており、そのため、メモリ性のある反射型の電子表示媒体についても、その見やすさの指標としてコントラストが用いられている（例えば、特許文献１および２参照。）。
【０００６】
しかしながら、反射型の電子表示媒体、特にハンディタイプのものは、ユーザーがどのような色温度の外光の照明環境において用いるかによってその見やすさは異なるところ、そのような観点からの見やすさについての検討は、十分にはなされていないのが現状である。
【先行技術文献】
【特許文献】
【０００７】
【特許文献１】特開２００１−２４２４９２号公報
【特許文献２】特開２００８−２０９６５６号公報
【発明の概要】
【発明が解決しようとする課題】
【０００８】
本発明は、以上のような事情に基づいてなされたものであって、その目的は、反射型の電子表示媒体に表示された画像の視認性について、広い色温度範囲の照明環境における視認性を客観的に評価することのできる電子表示媒体の評価方法を提供することにある。
【課題を解決するための手段】
【０００９】
本発明の電子表示媒体の評価方法は、反射型の電子表示媒体上に表示された、少なくとも当該電子表示媒体によって表示することのできる最高の反射率を有する画像部分および、当該電子表示媒体によって表示することのできる最低の反射率を有する画像部分が含まれるパターン画像について、照明した状態における前記最高の反射率を有する画像部分に係る反射率および前記最低の反射率を有する画像部分に係る反射率を取得し、これらの値からコントラストを算出するコントラスト算出処理を、
前記電子表示媒体上の画像を照明するための光源として、１９００Ｋ〜８０００Ｋの範囲のうち互いに異なる色温度のものを用いて３回以上行い、各回に算出されたコントラストによって前記電子表示媒体に表示された画像の視認性を評価することを特徴とする。
【００１０】
本発明の電子表示媒体の評価方法においては、前記コントラスト算出処理が、（１）１９００Ｋ〜４０００Ｋの範囲の色温度の光源、（２）４０００Ｋ〜５５００Ｋの範囲の色温度の光源、および（３）５５００Ｋ〜８０００Ｋの範囲の色温度の光源を用いて、すくなくともそれぞれ１回行われることが好ましい。
【００１１】
また、本発明の電子表示媒体の評価方法においては、前記照明による電子表示媒体上の画像における照度が、１０〜２０００ルクスの範囲であることが好ましい。
【００１２】
また、本発明の電子表示媒体の評価方法においては、コントラストを算出するために取得される前記最高の反射率を有する画像部分に係る反射率、および前記最低の反射率を有する画像部分に係る反射率が、それぞれの画像部分について分光吸収分布を測色し、得られた分光吸収分布に基づいて演算されることにより、取得されるものであることが好ましい。
【００１３】
また、本発明の電子表示媒体の評価方法においては、前記分光吸収分布に基づいて演算されることにより取得される反射率が、波長に対して積算して算出された積算反射率であることが好ましい。
【００１４】
本発明の電子表示媒体の評価方法は、反射型の電子表示媒体上に表示された、少なくとも当該電子表示媒体によって表示することのできる最高の濃度を有する画像部分および、当該電子表示媒体によって表示することのできる最低の濃度を有する画像部分が含まれるパターン画像について、照明した状態における前記最高の濃度を有する画像部分に係る濃度および前記最低の濃度を有する画像部分に係る濃度を取得し、これらの値からコントラストを算出するコントラスト算出処理を、
前記電子表示媒体上の画像を照明するための光源として、１９００Ｋ〜８０００Ｋの範囲のうち互いに異なる色温度のものを用いて３回以上行い、各回に算出されたコントラストによって前記電子表示媒体に表示された画像の視認性を評価することを特徴とする。
【００１５】
本発明の電子表示媒体の評価方法においては、前記コントラスト算出処理が、（１）１９００Ｋ〜４０００Ｋの範囲の色温度の光源、（２）４０００Ｋ〜５５００Ｋの範囲の色温度の光源、および（３）５５００Ｋ〜８０００Ｋの範囲の色温度の光源を用いて、すくなくともそれぞれ１回行われることが好ましい。
【００１６】
また、本発明の電子表示媒体の評価方法においては、前記照明による電子表示媒体上の画像における照度が、１０〜２０００ルクスの範囲であることが好ましい。
【００１７】
また、本発明の電子表示媒体の評価方法においては、コントラストを算出するために取得される前記最高の濃度を有する画像部分に係る濃度、および前記最低の濃度を有する画像部分に係る濃度が、それぞれの画像部分について分光吸収分布を測色し、得られた分光吸収分布に基づいて演算されることにより、取得されるものであることが好ましい。
【００１８】
また、本発明の電子表示媒体の評価方法においては、前記分光吸収分布に基づいて演算されることにより取得される濃度が、波長に対して積算して算出された積算濃度であることが好ましい。
【００１９】
さらに、本発明の電子表示媒体の評価方法においては、前記画像パターンが、チェッカフラッグ、ライン＆スペース、文字キャラクタのいずれかとすることができる。
【発明の効果】
【００２０】
本発明の電子表示媒体の評価方法によれば、コントラスト算出処理を、互いに異なる色温度の光源に係る照明環境について３回以上行うために、広い色温度範囲の照明環境における視認性を評価することができ、従って、実用に即した視認性を客観的に評価することができる。
【図面の簡単な説明】
【００２１】
【図１】本発明の電子表示媒体の評価方法の一例における視認性の評価のフローチャートである。
【図２】図１の評価方法におけるコントラストの算出に係るフローチャートである。
【図３】本発明の電子表示媒体の評価方法に用いるパターン画像の具体例であって、（ａ）がチェッカフラッグ、（ｂ）がライン＆スペース、（ｃ），（ｄ）が文字キャラクタである。
【図４】図１の評価方法における反射率の演算に係るフローチャートである。
【図５】図１の評価方法における積算反射率の演算に係るフローチャートである。
【図６】本発明の電子表示媒体の評価方法に用いる分光測色計の構成例を示す模式図である。
【図７】反射型の電子表示媒体における測色領域を示す模式図である。
【図８】（ａ）は本発明の電子表示媒体の評価方法に用いる分光測色計の照度調整機構が光透過率変更フィルタ群よりなる構成例を示す模式図であり、（ｂ）は光透過率変更フィルタ群の平面図である。
【図９】本発明の電子表示媒体の評価方法の別の一例における視認性の評価のフローチャートである。
【図１０】図９の評価方法におけるコントラストの算出に係るフローチャートである。
【図１１】図９の評価方法における濃度の演算に係るフローチャートである。
【図１２】図９の評価方法における積算濃度の演算に係るフローチャートである。
【発明を実施するための形態】
【００２２】
以下、本発明について詳細に説明する。
【００２３】
＜第１の実施の形態＞
本発明の電子表示媒体の評価方法の第１の例は、反射型の電子表示媒体（以下、「反射型電子表示媒体」ともいう。）上に表示された、少なくとも当該反射型電子表示媒体によって表示することのできる最高の反射率を有する画像部分（以下、「最高反射部分」ともいう。）および、当該反射型電子表示媒体によって表示することのできる最低の反射率を有する画像部分（以下、「最低反射部分」ともいう。）が含まれるパターン画像について、照明した状態における最高反射部分に係る反射率および最低反射部分に係る反射率を取得し、これらの値からコントラストを算出するコントラスト算出処理を、反射型電子表示媒体上の画像を照明するための光源として、１９００Ｋ〜８０００Ｋの範囲のうち互いに異なる色温度のものを用いて３回以上行い、各回に算出されたコントラストによって当該反射型電子表示媒体に表示された画像の視認性を評価する方法である。
【００２４】
本発明の電子表示媒体の評価方法は、具体的には、例えばコントラスト算出処理を３回行う場合は、図１のフローチャートに示されるように、まず、反射型電子表示媒体上に表示されたパターン画像における最高反射部分および最低反射部分のうちの一方、例えば最高反射部分Ｐ（Ｗ）について色温度Ｔ１の光源を用いて照明した状態における反射率Ｒ（Ｔ１（Ｗ））を取得する。
次いで、最低反射部分Ｐ（Ｂ）について、最高反射部分Ｐ（Ｗ）と同じ色温度Ｔ１の光源を用いて照明した状態における反射率Ｒ（Ｔ１（Ｂ））を取得する。
その後、図２に示されるように、（最高反射部分Ｐ（Ｗ）に係る反射率Ｒ（Ｔ１（Ｗ）））／（最低反射部分Ｐ（Ｂ）に係る反射率Ｒ（Ｔ１（Ｂ）））により１回目のコントラスト算出処理に係るコントラストＣ（Ｔ１）を取得する。
さらに、当該最高反射部分Ｐ（Ｗ）および最低反射部分Ｐ（Ｂ）について、前記色温度Ｔ１と異なる色温度Ｔ２の光源を用いて照明して同様にして最高反射部分Ｐ（Ｗ）および最低反射部分Ｐ（Ｂ）に係る反射率Ｒ（Ｔ２（Ｗ）），Ｒ（Ｔ２（Ｂ））を取得し、これらを用いて（最高反射部分Ｐ（Ｗ）に係る反射率Ｒ（Ｔ２（Ｗ）））／（最低反射部分Ｐ（Ｂ）に係る反射率Ｒ（Ｔ２（Ｂ）））により２回目のコントラスト算出処理に係るコントラストＣ（Ｔ２）を取得する。
またさらに、当該最高反射部分Ｐ（Ｗ）および最低反射部分Ｐ（Ｂ）について、前記色温度Ｔ１，色温度Ｔ２と異なる色温度Ｔ３の光源を用いて照明して同様にして最高反射部分Ｐ（Ｗ）および最低反射部分Ｐ（Ｂ）に係る反射率Ｒ（Ｔ３（Ｗ）），Ｒ（Ｔ３（Ｂ））を取得し、これらを用いて（最高反射部分Ｐ（Ｗ）に係る反射率Ｒ（Ｔ３（Ｗ）））／（最低反射部分Ｐ（Ｂ）に係る反射率Ｒ（Ｔ３（Ｂ）））により３回目のコントラスト算出処理に係るコントラストＣ（Ｔ３）を取得し、これらを用いて視認性の評価が行われる。
【００２５】
取得されたコントラストＣ（Ｔ１），Ｃ（Ｔ２），Ｃ（Ｔ３）を用いた反射型電子表示媒体の視認性の評価の具体的な方法は、特に限定されず、評価対象となる反射型電子表示媒体の使用用途などを考慮した方法とすることができる。
例えば、反射型電子表示媒体を携行して家庭およびオフィスの両方で使用する場合、家庭およびオフィスに対応する複数種類の照度環境に係るコントラストを取得し、これらの相関関係から評価する方法などを挙げることができる。
【００２６】
光源の組み合わせとしては、例えば具体的には、色温度Ｔ１に係る第１の光源を１９００Ｋ〜４０００Ｋの範囲の色温度のものとし、色温度Ｔ２に係る第２の光源を４０００Ｋ〜５５００Ｋの範囲の色温度のものとすると共に、色温度Ｔ３に係る第３の光源を５５００Ｋ〜８０００Ｋの範囲の色温度のものとすることが好ましい。
なお、色温度が１９００Ｋである光源は具体的には例えばロウソクや電球、白熱ランプであって、通常の照明環境のうち黄色からオレンジ色の、人が精神的に安らげる照明環境を提供することができる。
【００２７】
最高反射部分Ｐ（Ｗ）および最低反射部分Ｐ（Ｂ）に係る反射率Ｒ（Ｔ１（Ｗ）），Ｒ（Ｔ１（Ｂ）），Ｒ（Ｔ２（Ｗ）），Ｒ（Ｔ２（Ｂ）），Ｒ（Ｔ３（Ｗ）），Ｒ（Ｔ３（Ｂ））を取得する際の照明は、反射型電子表示媒体上の画像部分における照度で１０〜２０００ルクスの範囲であることが好ましい。
【００２８】
この例の電子表示媒体の評価方法において、反射型電子表示媒体によって表示することのできる最高の反射率を有する画像部分（最高反射部分）とは、いわゆる白色の画像であり、反射型電子表示媒体によって表示することのできる最低の反射率を有する画像部分（最低反射部分）とは、グレー〜黒色の画像である。
【００２９】
このような最高反射部分および最低反射部分を含むパターン画像としては、図３（ａ）に示されるようなチェッカフラッグ、図３（ｂ）に示されるようなライン＆スペース、および、図３（ｃ），（ｄ）に示されるような文字キャラクタなどが挙げられる。
図３（ａ）に示されるチェッカフラッグのパターンは、反射率を想定する際に好適に用いることができる。また、図３（ｂ）に示されるライン＆スペースのパターンは、識別可能な解像度を評価する際に好適に用いることができ、さらに、図３（ｃ），（ｄ）に示される文字キャラクタのパターンは、文章などの識別が可能である否かを判断するための、人間工学的な検討を行う際に好適に用いることができる。
【００３０】
最高反射部分Ｐ（Ｗ）および最低反射部分Ｐ（Ｂ）に係る反射率Ｒ（Ｔ１（Ｗ）），Ｒ（Ｔ１（Ｂ）），Ｒ（Ｔ２（Ｗ）），Ｒ（Ｔ２（Ｂ）），Ｒ（Ｔ３（Ｗ）），Ｒ（Ｔ３（Ｂ））は、図４に示されるように、それぞれの画像部分について分光吸収分布を測色し、得られた分光吸収分布に基づいて演算されることにより、取得されるものとすることができる。
特に、最高反射部分Ｐ（Ｗ）および最低反射部分Ｐ（Ｂ）に係る反射率Ｒ（Ｔ１（Ｗ）），Ｒ（Ｔ１（Ｂ）），Ｒ（Ｔ２（Ｗ）），Ｒ（Ｔ２（Ｂ）），Ｒ（Ｔ３（Ｗ）），Ｒ（Ｔ３（Ｂ））は、図５に示されるように、それぞれに係る分光吸収分布から波長に対して積算して算出された積算反射率とされることが好ましい。
積算反射率は、分光吸収分布から、例えば可視光域などのＷｎｍ〜Ｘｎｍの波長範囲、中心波長Ｙｎｍの前後Ｚｎｍの波長範囲などの適宜の波長範囲について、所望の波長範囲毎に反射率を積分し、これらを加算することにより、取得されるものである。
【００３１】
以上のような電子表示媒体の評価方法における反射率の測色は、以下のような分光測色計を用いて行うことができる。
すなわち、分光測色計は、図６に示されるように、分光吸収分布を測色すべき反射型電子表示媒体１０に対接させるための開口１１Ａが形成された積分球１１を有し、この積分球１１の球面上に、孔が設けられてこの孔に反射型電子表示媒体１０上に表示された画像（図示せず）を照明する照明手段１２が備えられると共に、当該積分球１１の球面上の照明手段１２と反射型電子表示媒体１０について正反射の位置ではない位置に孔が設けられて、当該孔に分光吸収分布を測色する分光測色手段１３が備えられており、この分光測色手段１３に得られた分光吸収分布に基づいて前記画像の反射率を演算するデータ変換手段（図示せず）が接続されてなるものである。
そして、この分光測色計においては、照明手段１２に照度調整機構１９が設けられて反射型電子表示媒体１０上の画像における照度を調整することができる構成とされている。
【００３２】
分光測色手段１３によって分光吸収分布を測色する画像としては、反射型電子表示媒体１０上に表示された最高反射部分Ｐ（Ｗ）または最低反射部分Ｐ（Ｂ）の全領域であってもよく、また、反射型電子表示媒体１０上に表示された最高反射部分Ｐ（Ｗ）または最低反射部分Ｐ（Ｂ）の一部の領域であってもよい。
具体的には、図７に示されるように、反射型電子表示媒体１０上の領域中、分光測色手段１３に備えられた光検出センサ２３によって反射光が受光される範囲に対応する測色領域３０に表示された画像が測色されるので、測色領域３０と同じ形状の最高反射部分Ｐ（Ｗ）または最低反射部分Ｐ（Ｂ）を表示してこれを測色することにより、反射型電子表示媒体１０上に表示された最高反射部分Ｐ（Ｗ）または最低反射部分Ｐ（Ｂ）の全領域が測色され、一方、測色領域３０よりも大きな最高反射部分Ｐ（Ｗ）または最低反射部分Ｐ（Ｂ）を表示してこれの一部を測色することにより、反射型電子表示媒体１０上に表示された最高反射部分Ｐ（Ｗ）または最低反射部分Ｐ（Ｂ）の一部が測色される。
【００３３】
反射型電子表示媒体１０上に表示される最高反射部分Ｐ（Ｗ）および最低反射部分Ｐ（Ｂ）は、その反射型電子表示媒体１０を駆動するための駆動素子の解像度により異なるが、解像度として７２〜５００ｄｐｉの範囲のものであれば好適に評価することができる。
【００３４】
積分球１１は、照明手段１２から出射される光をその内壁で繰り返し拡散反射させることにより空間的に積分させ、これにより散乱光を生成するものである。
積分球１１の大きさは、特に限定されないが、当該積分球１１の開口１１Ａに入射される光が散乱光となる程度の、開口１１Ａの大きさに対して十分に大きな大きさであることが好ましい。
【００３５】
この積分球１１は、極めて反射率の高い材料よりなるものとすることができ、また、適宜の材料によって形状が形成されたものの内壁に、反射率の高いコーティング材によってコーティングされたものとすることもできる。
【００３６】
照明手段１２は、適宜の光源を備えると共に照度調整機構１９を備えるものとされている。
光源としては、例えば従来公知の種々の光源、例えばロウソク、白熱ランプ（タングステンランプ）、ハロゲンランプ、メタルハライドランプ、蛍光ランプ、ナトリウムランプ、キセノンランプ、蛍光灯、ＬＥＤなどを用いることができる。
照度調整機構１９は、当該光源からの光について、反射型電子表示媒体１０上の画像に照射される光が所定の照度の光となるようにその照度を調製するものであって、例えば分光測色手段１３によって測色されるべき分光吸収分布の波長範囲の全域において照度を調整することができるＮＤ（Ｎｅｕｔｒａｌ  Ｄｅｎｓｉｔｙ：減光）フィルタよりなるものとすることができる。
具体的な照度の調整は、互いに減光の度合の異なる複数のＮＤフィルタを取り換え可能な状態に設け、さらに測色領域３０に対向して設けられた照度測定装置（図示せず）によって適時に照度を測定し、測定される照度が所望の照度になるまで照度調整機構１９によってＮＤフィルタを取り換えることにより、行うことができる。
【００３７】
また、照度調整機構１９としては、図８に示されるように、光透過率を変更することのできる光透過率変更フィルタ群２２よりなるものとすることもできる。
この光透過率変更フィルタ群２２は、図８（ｂ）に示されるように、軸２２αを中心として同心円上に複数の光学フィルタ２２Ａ〜２２Ｅが設けられてなるものであり、これらの光学フィルタ２２Ａ〜２２Ｅのうちの一つが選択されて光源からの光が透過されるよう、軸２２αを中心に回転可能に設置される。
また、この光透過率変更フィルタ群２２の代わりに、光透過率を電気的に制御することのできる電磁フィルタを用いてもよい。
なお、図８において、４０は傾斜板である。傾斜板４０は、光源からの直接光および／または光源からの反射型電子表示媒体１０を介した直接光による反射光が光検出センサ２３に入り込まないようにするためのものである。
【００３８】
このような分光測色計を用いて、以下のように反射型電子表示媒体１０上の最高反射部分Ｐ（Ｗ）の色温度Ｔ１に係る反射率Ｒ（Ｔ１（Ｗ））が取得される。
すなわち、まず、照明手段１２において選択された色温度Ｔ１の光源から光を出射させる。この光は、直接光として、および／または、積分球１１の内壁で拡散反射されて拡散されることにより散乱光として、反射型電子表示媒体１０の測色領域３０に入射される。この反射型電子表示媒体１０の測色領域３０に入射された光は、当該反射型電子表示媒体１０によって反射され、光検出センサ２３に入射された光について分光吸収分布が測色され、この測色された分光吸収分布のデータがデータ変換手段に送信され、当該データ変換手段において反射率Ｒ（Ｔ１（Ｗ））に演算される。
最高反射部分Ｐ（Ｗ）の色温度Ｔ２，Ｔ３に係る反射率Ｒ（Ｔ２（Ｗ）），Ｒ（Ｔ３（Ｗ））は、それぞれ色温度Ｔ２，Ｔ３の光源を用いて照明することの他は同様にして、取得される。また、最低反射部分Ｐ（Ｂ）の色温度Ｔ１に係る反射率Ｒ（Ｔ１（Ｂ））は、最低反射部分Ｐ（Ｂ）を表示することの他は同様にして、取得される。さらに、最低反射部分Ｐ（Ｂ）の色温度Ｔ２，Ｔ３に係る反射率Ｒ（Ｔ２（Ｂ）），Ｒ（Ｔ３（Ｂ））は、それぞれ、最低反射部分Ｐ（Ｂ）を表示すると共に色温度Ｔ２，Ｔ３の光源を用いて照明することの他は同様にして、取得される。
【００３９】
以上のような電子表示媒体の評価方法において、評価対象となる反射型電子表示媒体１０としては、例えば白色表示を行うことができる電子ペーパーなどを挙げることができる。
【００４０】
以上の電子表示媒体の評価方法によれば、コントラスト算出処理を、互いに異なる色温度の光源に係る照明環境について３回以上行うために、広い色温度範囲の照明環境における視認性を評価することができ、従って、実用に即した視認性を客観的に評価することができる。
【００４１】
以上、本発明について具体的に説明したが、本実施の形態は上記の例に限定されるものではなく、種々の変更を加えることができる。
【００４２】
＜第２の実施の形態＞
本発明の電子表示媒体の評価方法の第２の例は、パターン画像として、少なくとも当該電子表示媒体によって表示することのできる最高の濃度を有する画像部分（以下、「最高濃度部分」ともいう。）および、当該電子表示媒体によって表示することのできる最低の濃度を有する画像部分（以下、「最低濃度部分」ともいう。）が含まれるものを用いると共に、反射率の代わりに濃度を取得してこれらの値からコントラストを算出することによりコントラスト算出処理を行うことの他は、第１の例と同様にして行われる方法である。
評価対象である反射型電子表示媒体を書き換え可能な印刷物とみなす場合は、第１の実施の形態のように評価の指数として反射率を用いた評価方法よりも、濃度（画像濃度）を評価の指数として用いる評価方法を行うことが好ましい。
【００４３】
具体的には、この評価の指数が画像濃度である電子表示媒体の評価方法は、反射型電子表示媒体上に表示された最高濃度部分および最低濃度部分が含まれるパターン画像について、照明した状態における最高濃度部分に係る濃度および最低濃度部分に係る濃度を取得し、これらの値からコントラストを算出するコントラスト算出処理を、反射型電子表示媒体上の画像を照明するための光源として、１９００Ｋ〜８０００Ｋの範囲のうち互いに異なる色温度のものを用いて３回以上行い、各回に算出されたコントラストによって当該反射型電子表示媒体に表示された画像の視認性を評価する方法である。
【００４４】
具体的には、例えばコントラスト算出処理を３回行う場合は、図９のフローチャートに示されるように、まず、反射型電子表示媒体上に表示されたパターン画像における最高濃度部分および最低濃度部分のうちの一方、例えば最高濃度部分Ｐ（Ｗ）について色温度Ｔ１の光源を用いて照明した状態における濃度Ｎ（Ｔ１（Ｗ））を取得する。
次いで、最低濃度部分Ｐ（Ｂ）について、最高濃度部分Ｐ（Ｗ）と同じ色温度Ｔ１の光源を用いて照明した状態における濃度Ｎ（Ｔ１（Ｂ））を取得する。
その後、図１０に示されるように、（最高濃度部分Ｐ（Ｗ）に係る濃度Ｎ（Ｔ１（Ｗ）））／（最低濃度部分Ｐ（Ｂ）に係る濃度Ｎ（Ｔ１（Ｂ）））により１回目のコントラスト算出処理に係るコントラストＣＮ（Ｔ１）を取得する。
さらに、当該最高濃度部分Ｐ（Ｗ）および最低濃度部分Ｐ（Ｂ）について、前記色温度Ｔ１と異なる色温度Ｔ２の光源を用いて照明して同様にして最高濃度部分Ｐ（Ｗ）および最低濃度部分Ｐ（Ｂ）に係る濃度Ｎ（Ｔ２（Ｗ）），Ｎ（Ｔ２（Ｂ））を取得し、これらを用いて（最高濃度部分Ｐ（Ｗ）に係る濃度Ｎ（Ｔ２（Ｗ）））／（最低濃度部分Ｐ（Ｂ）に係る濃度Ｎ（Ｔ２（Ｂ）））により２回目のコントラスト算出処理に係るコントラストＣＮ（Ｔ２）を取得する。
またさらに、当該最高濃度部分Ｐ（Ｗ）および最低濃度部分Ｐ（Ｂ）について、前記色温度Ｔ１，色温度Ｔ２と異なる色温度Ｔ３の光源を用いて照明して同様にして最高濃度部分Ｐ（Ｗ）および最低濃度部分Ｐ（Ｂ）に係る濃度Ｎ（Ｔ３（Ｗ）），Ｎ（Ｔ３（Ｂ））を取得し、これらを用いて（最高濃度部分Ｐ（Ｗ）に係る濃度Ｎ（Ｔ３（Ｗ）））／（最低濃度部分Ｐ（Ｂ）に係る濃度Ｎ（Ｔ３（Ｂ）））により３回目のコントラスト算出処理に係るコントラストＣＮ（Ｔ３）を取得し、これらを用いて視認性の評価が行われる。
【００４５】
取得されたコントラストＣ（Ｔ１），ＣＮ（Ｔ２），ＣＮ（Ｔ３）を用いた反射型電子表示媒体の視認性の評価の具体的な方法は、特に限定されず、評価対象となる反射型電子表示媒体の使用用途などを考慮した方法とすることができる。
例えば、反射型電子表示媒体を携行して家庭およびオフィスの両方で使用する場合、家庭およびオフィスに対応する複数種類の照度環境に係るコントラストを取得し、これらの相関関係から評価する方法などを挙げることができる。
【００４６】
光源の組み合わせとしては、例えば具体的には、色温度Ｔ１に係る第１の光源を１９００Ｋ〜４０００Ｋの範囲の色温度のものとし、色温度Ｔ２に係る第２の光源を４０００Ｋ〜５５００Ｋの範囲の色温度のものとすると共に、色温度Ｔ３に係る第３の光源を５５００Ｋ〜８０００Ｋの範囲の色温度のものとすることが好ましい。
なお、色温度が１９００Ｋである光源は具体的には例えばロウソクや電球、白熱ランプであって、通常の照明環境のうち黄色からオレンジ色の、人が精神的に安らげる照明環境を提供することができる。
【００４７】
最高濃度部分Ｐ（Ｗ）および最低濃度部分Ｐ（Ｂ）に係る濃度Ｎ（Ｔ１（Ｗ）），Ｎ（Ｔ１（Ｂ）），Ｎ（Ｔ２（Ｗ）），Ｎ（Ｔ２（Ｂ）），Ｎ（Ｔ３（Ｗ）），Ｎ（Ｔ３（Ｂ））を取得する際の照明は、反射型電子表示媒体上の画像部分における照度で１０〜２０００ルクスの範囲であることが好ましい。
【００４８】
この例の電子表示媒体の評価方法において、反射型電子表示媒体によって表示することのできる最高の濃度を有する画像部分（最高濃度部分）とは、いわゆる白色の画像であり、反射型電子表示媒体によって表示することのできる最低の濃度を有する画像部分（最低濃度部分）とは、グレー〜黒色の画像である。
【００４９】
このような最高濃度部分および最低濃度部分を含むパターン画像としては、図３（ａ）に示されるようなチェッカフラッグ、図３（ｂ）に示されるようなライン＆スペース、および、図３（ｃ），（ｄ）に示されるような文字キャラクタなどが挙げられる。
【００５０】
最高濃度部分Ｐ（Ｗ）および最低濃度部分Ｐ（Ｂ）に係る濃度Ｎ（Ｔ１（Ｗ）），Ｎ（Ｔ１（Ｂ）），Ｎ（Ｔ２（Ｗ）），Ｎ（Ｔ２（Ｂ）），Ｎ（Ｔ３（Ｗ）），Ｎ（Ｔ３（Ｂ））は、図１１に示されるように、それぞれの画像部分について分光吸収分布を測色し、得られた分光吸収分布に基づいて演算されることにより、取得されるものとすることができる。
特に、図１２に示されるように、最高濃度部分Ｐ（Ｗ）および最低濃度部分Ｐ（Ｂ）に係る濃度Ｎ（Ｔ１（Ｗ）），Ｎ（Ｔ１（Ｂ）），Ｎ（Ｔ２（Ｗ）），Ｎ（Ｔ２（Ｂ）），Ｎ（Ｔ３（Ｗ）），Ｎ（Ｔ３（Ｂ））は、それぞれに係る分光吸収分布から波長に対して積算して算出された積算濃度とされることが好ましい。
積算濃度は、分光吸収分布から、例えば可視光域などのＷｎｍ〜Ｘｎｍの波長範囲、中心波長Ｙｎｍの前後Ｚｎｍの波長範囲などの適宜の波長範囲について、所望の波長範囲毎に濃度を積分し、これらを加算することにより、取得されるものである。
【００５１】
反射型電子表示媒体１０上の画像Ｐ（Ｗ）の色温度Ｔ１に係る濃度Ｎ（Ｔ１（Ｗ））の取得は、例えば上述の分光測色計を用いて以下のようになされる。
すなわち、まず、照明手段１２において選択された色温度Ｔ１の光源から光を出射させる。この光は、直接光として、および／または、積分球１１の内壁で拡散反射されて拡散されることにより散乱光として、反射型電子表示媒体１０の測色領域３０に入射される。この反射型電子表示媒体１０の測色領域３０に入射された光は、当該反射型電子表示媒体１０によって反射され、光検出センサ２３に入射された光について分光吸収分布が測色され、この測色された分光吸収分布のデータがデータ変換手段に送信され、当該データ変換手段において濃度Ｎ（Ｔ１（Ｗ））に演算される。
最高濃度部分Ｐ（Ｗ）の色温度Ｔ２，Ｔ３に係る濃度Ｎ（Ｔ２（Ｗ）），Ｎ（Ｔ３（Ｗ））は、それぞれ色温度Ｔ２，Ｔ３の光源を用いて照明することの他は同様にして、取得される。また、最低濃度部分Ｐ（Ｂ）の色温度Ｔ１に係る濃度Ｎ（Ｔ１（Ｂ））は、最低濃度部分Ｐ（Ｂ）を表示することの他は同様にして、取得される。さらに、最低濃度部分Ｐ（Ｂ）の色温度Ｔ２，Ｔ３に係る濃度Ｎ（Ｔ２（Ｂ）），Ｎ（Ｔ３（Ｂ））は、それぞれ、最低濃度部分Ｐ（Ｂ）を表示すると共に色温度Ｔ２，Ｔ３の光源を用いて照明することの他は同様にして、取得される。
【００５２】
このような電子表示媒体の評価方法によれば、第１の実施の形態に係る効果と同じ効果を得ることができる。
【符号の説明】
【００５３】
１０  反射型電子表示媒体
１１  積分球
１１Ａ  開口
１２  照明手段
１３  分光測色手段
１９  照度調整機構
２２  光透過率変更フィルタ群
２２Ａ〜２２Ｅ  光学フィルタ
２２α  軸
２３  光検出センサ
３０  測色領域
４０  傾斜板
【図１】
2010261850.tif 000003
【図２】
2010261850.tif 000004
【図４】
2010261850.tif 000005
【図５】
2010261850.tif 000006
【図９】
2010261850.tif 000007
【図１０】
2010261850.tif 000008
【図１１】
2010261850.tif 000009
【図１２】
2010261850.tif 000010
【図３】
2010261850.tif 000011
【図６】
2010261850.tif 000012
【図７】
2010261850.tif 000013
【図８】
2010261850.tif 000014